(57)【特許請求の範囲】
【請求項１】
一対の端部桁と該端部桁の中央部に形成された中央桁とを有し、前記端部桁と前記中央桁との間に、フォーク差込み孔が形成されている２方差し合成樹脂製パレットにおいて、前記端部桁のフォーク差込み口孔側の内壁を、該内壁の中央部から前記フォーク差込み孔の間口に向かうにしたがって、前記端部桁の角部方向に傾斜して形成するとともに、前記中央桁のフォーク差込み孔側の相対する一対の内壁を、該内壁の中央部から前記フォーク差込み孔の間口に向かうにしたがって、前記フォーク差込み孔に沿ったデッキボードの中心線方向に傾斜して形成することにより、前記フォーク差込み孔の幅が、前記フォーク差込み孔の中央に向かって、徐々に狭くなるように構成されていることを特徴とする２方差し合成樹脂製パレット。
【請求項２】
フォークの先端部が当接する端部桁の内壁及び中央桁の内壁の肉厚を、他の部分より厚くしたことを特徴とする請求項１に記載の２方差し合成樹脂製パレット。
【発明の詳細な説明】
【０００１】
【発明の属する技術分野】
本発明は、物品を載置して運搬、保管等に供される２方差し合成樹脂製パレットに関するものである。
【０００２】
【従来の技術】
先ず最初に、図５を用いて、従来の２方差し合成樹脂製パレット（以下、単に、２方差しパレットともいう。）について説明する。
【０００３】
従来、上部デッキボードと下部デッキボードとに、一方の相対する辺に沿って平行に形成された端部桁ｐ１と、該端部桁ｐ１に沿って中央部に形成された中央桁ｐ２とを形成し、端部桁ｐ１と中央桁ｐ２の端面を、それぞれ、溶着接合することにより、端部桁ｐ１と中央桁ｐ２との間に、２つのフォーク差込み孔ｐ３が形成された、所謂、２方差しのパレットｐにおいて、フォーク差込み孔ｐ３の幅ｄ１が、フォーク差込み孔ｐ３の間口ｐ３’から、フォーク差込み孔ｐ３の中央に向かって、徐々に広くなるように構成された２方差しパレットｐが知られている（実開昭５７−７７１２７号公報参照のこと）。
【０００４】
上述したように構成することにより、フォークｆが、フォーク差込み孔ｐ３に、フォーク差込み孔ｐ３に沿った２方差しパレットｐの中心線ｃに対して傾斜して挿入された場合にも、フォークｆの先端部分が、２方差しパレットｐのフォーク差込み孔ｐ３を形成する内壁ｐ４に当接するとともに、フォークｆの更なる前進により、２方差しパレットｐを、その中心点Ｏを中心に、図５において、時計方向に回転させて、２方差しパレットｐの中心線ｃがフォークｆの長手方向に略一致するように姿勢修正できるように構成されている。
【０００５】
【発明が解決しようとする課題】
上述した従来の２方差しパレットｐにおいては、フォーク差込み孔ｐ３の幅ｄ１が、フォーク差込み孔ｐ３の中央に向かって、徐々に広くなるように構成されているために、端部桁ｐ１及び中央桁ｐ２の幅が、端部桁ｐ１及び中央桁ｐ２の中央部に行くにしたがって狭くなり、従って、端部桁ｐ１及中央桁ｐ２の強度が低下し、ひいては、２方差しパレットｐの強度が低下し、２方差しパレットｐの耐用年数が短くなるという問題があった。
【０００６】
また、フォーク差込み孔ｐ３の幅ｄ１が、フォーク差込み孔ｐ３の中央に向かって、徐々に広くなるように構成されているために、端部桁ｐ１と中央桁ｐ２との間の幅が広くなり、従って、端部桁ｐ１と中央桁ｐ２との間に位置する上部デッキボード及び下部デッキボードの撓み強度が低下し、２方差しパレットｐの撓みが大きくなるという問題があった。
【０００７】
本発明の目的は、上述した従来の２方差し合成樹脂製パレットが有する課題を解決することにある。
【０００８】
【課題を解決するための手段】
本発明は、上述した目的を達成するために、一対の端部桁と該端部桁の中央部に形成された中央桁とを有し、前記端部桁と前記中央桁との間に、フォーク差込み孔が形成されている２方差し合成樹脂製パレットにおいて、前記端部桁のフォーク差込み口孔側の内壁を、該内壁の中央部から前記フォーク差込み孔の間口に向かうにしたがって、前記端部桁の角部方向に傾斜して形成するとともに、前記中央桁のフォーク差込み孔側の相対する一対の内壁を、該内壁の中央部から前記フォーク差込み孔の間口に向かうにしたがって、前記フォーク差込み孔に沿ったデッキボードの中心線方向に傾斜して形成することにより、前記フォーク差込み孔の幅が、前記フォーク差込み孔の中央に向かって、徐々に狭くなるようにしたものであり、また、フォークの先端部が当接する端部桁の内壁及び中央桁の内壁の肉厚を、他の部分より厚くしたものである。
【０００９】
【実施例】
図１〜図４を用いて、本発明の２方差し合成樹脂製パレットＰの一実施例について説明するが、本発明の趣旨を超えない限り何ら、本実施例に限定されるものではない。
【００１０】
１は、上部デッキボードであり、２は下部デッキボードであり、上部デッキボード１と下部デッキボード２とは、同一形状に、射出成形等により成形される。上部デッキボード１と下部デッキボード２とには、一方の相対する辺に沿って形成された端部桁１ａ、２ａと、該端部桁１ａ、２ａに沿って、且つ、２方差しパレットＰの中央部に形成された中央桁１ｂ、２ｂとが、それぞれ形成されており、端部桁１ａ、２ａと中央桁１ｂ、２ｂの端面を、それぞれ、溶着接合することにより、２方差しパレットＰが形成される。このように、上部デッキボード１と下部デッキボード２の端部桁１ａ、２ａ同士及び中央桁１ｂ、２ｂ同士を、それぞれ、溶着接合することにより、端部桁１ａ、２ａと中央桁１ｂ、２ｂとの間に、２つのフォーク差込み孔３が形成される。
【００１１】
上部デッキボード１と下部デッキボード２に形成された端部桁１ａ、２ａと中央桁１ｂ、２ｂの構成について説明するが、その構成は、上部デッキボード１と下部デッキボード２について同じであるので、以下においては、下部デッキボード２に形成された端部桁２ａと中央桁２ｂの構成について説明する。
【００１２】
本実施例においては、端部桁２ａを構成するフォーク差込み孔３側の内壁２ｃが、その中央部２ｃ’からフォーク差込み孔３の間口３ａに向かうにしたがって、下部デッキボード２の角部２ｄ方向に傾斜して形成されている。また、中央桁２ｂを構成するフォーク差込み孔３側の相対する一対の内壁２ｅが、その中央部２ｅ’からフォーク差込み孔３の間口３ａに向かうにしたがって、下部デッキボード２の角部２ｄから離れる方向、換言すれば、フォーク差込み孔３に沿った下部デッキボード２の中心線Ｃ方向に傾斜して形成されている。
【００１３】
上述したように、下部デッキボード２の端部桁２ａのフォーク差込み口孔側の内壁２ｃを、その中央部２ｃ’からフォーク差込み孔３の間口３ａに向かうにしたがって、下部デッキボード２の角部２ｄ方向に傾斜して形成するとともに、中央桁２ｂのフォーク差込み孔３側の相対する一対の内壁２ｅを、その中央部２ｅ’からフォーク差込み孔３の間口３ａに向かうにしたがって、フォーク差込み孔３に沿った下部デッキボード２の中心線Ｃ方向に傾斜して形成することにより、フォーク差込み孔３の幅Ｄ１が、フォーク差込み孔３の中央に向かって、徐々に狭くなるように構成されている。
【００１４】
上述したように構成されているので、図３に示されているように、フォークｆが、フォーク差込み孔３に沿った２方差しパレットＰの中心線Ｃに対して、一方の端部桁２ａ側に偏向して位置した場合にも、フォークｆが前進することにより、フォークｆの先端部が、一方の端部桁２ａの内壁２ｃ及び中央桁２ｂの一方の内壁２ｅに当接し、２方差しパレットＰを、図３において、左方向に移動させて、図４に示されているように、フォークｆが、フォーク差込み孔３の長手方向の略中心部に位置するように、２方差しパレットＰの位置を修正することができる。従って、フォークｆが、２方差しパレットＰの一方の端部桁２ａ側に偏向して位置した状態で、フォークｆを上昇させた際の２方差しパレットＰの不安定な状態を防止することができる。なお、フォークｆの先端部が当接する端部桁２ａの内壁２ｃ及び中央桁２ｂの内壁２ｅの肉厚を、端部桁２ａ及び中央桁２ｂの他の部分の肉厚より厚くすることにより、フォークｆの先端部の当接に対して、端部桁２ａ及び中央桁２ｂが破損するようなことがなく、従って、２方差しパレットＰの耐用年数が長くなる。
【００１５】
上述した従来の２方差しパレットｐの場合には、フォーク差込み孔ｐ３の幅ｄ１が、フォーク差込み孔ｐ３の中央に向かって、徐々に広くなるように構成されているので、フォークｆが、フォーク差込み孔ｐ３に沿った２方差しパレットｐの中心線ｃに対して、一方の端部桁ｐ１側に偏向して位置した場合でも、フォークｆの先端部が、一方の端部桁ｐ１の内壁ｐ４及び中央桁ｐ２の一方の内壁ｐ４に当接することがないので、２方差しパレットｐを、左右の何方かに移動させることができない。
【００１６】
また、本実施例においては、フォーク差込み孔３の幅Ｄ１が、フォーク差込み孔３の中央に向かって、徐々に狭くなるように構成されているので、従って、端部桁２ａ及び中央桁２ｂの中央部の幅が広く形成されることになり、端部桁２ａ及び中央桁２ｂの強度が増大し、２方差しパレットＰの強度が増大し、ひいては、２方差しパレットＰの耐用年数が長くなる。
【００１７】
更に、フォーク差込み孔３の幅Ｄ１が、フォーク差込み孔３の中央に向かって、徐々に狭くなるように構成されているので、フォーク差込み孔３の間口３ａの幅Ｄ２を広くすることができるので、フォークｆのフォーク差込み孔３への挿入が容易になる。
【００１８】
更にまた、フォーク差込み孔３の幅Ｄ１が、フォーク差込み孔３の中央に向かって、徐々に狭くなるように構成されているために、端部桁１ａ、２ａと中央桁１ｂ、２ｂとの間の幅が狭くなり、従って、端部桁１ａ、２ａと中央桁１ｂ、２ｂとの間に位置する上部デッキボード１及び下部デッキボード２の撓み強度が増し、２方差しパレットＰの撓みが小さくなり、よって、２方差しパレットＰの強度が増大するとともに、２方差しパレットＰの耐用年数が長くなる。
【００１９】
上述した構成は、当然のことながら、２方差しパレットＰを、ハンドフォークリフトを用いて取り扱う場合にも適用できるものである。
【００２０】
【発明の効果】
本発明は、以上説明した構成を有しているので、以下に記載する効果を奏するものである。
【００２１】
２方差し合成樹脂製パレットを、フォークが、フォーク差込み孔の長手方向の略中心部に位置するように、その位置を修正することができるので、安定した状態で、２方差し合成樹脂製パレットを取り扱うことができる。
【００２２】
端部桁及び中央桁の幅を広く形成することができるので、端部桁及び中央桁の強度が増大し、従って、２方差し合成樹脂製パレットの強度が増大するとともに、２方差し合成樹脂製パレットの耐用年数が長くなる。
【００２３】
フォーク差込み孔の幅が、フォーク差込み孔の中央に向かって、徐々に狭くなるように構成されているので、フォーク差込み孔の間口の幅を広くすることができるので、フォークのフォーク差込み孔への挿入が容易になる。
【００２４】
端部桁と中央桁との間に位置する上部デッキボード及び下部デッキボードの撓み強度が増し、２方差しパレットの撓みが小さくなり、よって、２方差しパレットの強度が増大するとともに、２方差しパレットＰの耐用年数が長くなる。
【００２５】
フォークの先端部が当接する端部桁の内壁及び中央桁の内壁の肉厚を、他の部分より厚くしたので、フォークの先端部の当接に対して、端部桁及び中央桁が破損するようなことがなく、従って、２方差しパレットの耐用年数が長くなる。
【図面の簡単な説明】
【図１】図１は本発明の２方差し合成樹脂製パレットの斜視図である。
【図２】図２は図１のＩ−Ｉ線に沿った本発明の２方差し合成樹脂製パレットの水平断面図である。
【図３】図３は図２と同様の本発明の２方差し合成樹脂製パレットの水平断面図である。
【図４】図４は同じく図２と同様の本発明の２方差し合成樹脂製パレットの水平断面図である。
【図５】図５は従来の２方差し合成樹脂製パレットの水平断面図である。
【符号の説明】
Ｐ・・・・・・・・２方差し合成樹脂製パレット
１・・・・・・・・上部デッキボード
２・・・・・・・・下部デッキボード
３・・・・・・・・フォーク差込み孔
【図１】
0004312308.tif 000002
【図２】
0004312308.tif 000003
【図３】
0004312308.tif 000004
【図４】
0004312308.tif 000005
【図５】
0004312308.tif 000006